(57)【要約】【課題】油成分や水成分が進入しＬＥＤパッケージを腐食させる恐れを抑制し、信頼性向上を図ることができる光源ユニット及び照明器具を得ることを目的とする【解決手段】ＬＥＤパッケージを実装したＬＥＤモジュールと、該ＬＥＤモジュールが取り付けられる取付板と、前記ＬＥＤパッケージを点灯させる点灯装置と、略筒形状であり長手方向にレール部を有するＬＥＤカバーと、前記ＬＥＤカバーの長手方向の両端部に取り付けられるシールパッキンおよびキャップと、を有し、前記ＬＥＤカバーは、前記取付板と前記点灯装置の周囲を囲み、前記取付板は、前記レール部にスライドさせた状態で該レール部に係止される。【選択図】  図４
2018037178.tif 000002
【特許請求の範囲】
【請求項１】
ＬＥＤパッケージを実装したＬＥＤモジュールと、該ＬＥＤモジュールが取り付けられる取付板と、前記ＬＥＤパッケージを点灯させる点灯装置と、略筒形状であり長手方向にレール部を有するＬＥＤカバーと、前記ＬＥＤカバーの長手方向の両端部に取り付けられるシールパッキンおよびキャップと、を有し、
前記ＬＥＤカバーは、前記取付板と前記点灯装置の周囲を囲み、
前記取付板は、前記レール部にスライドさせた状態で該レール部に係止される光源ユニット。
【請求項２】
前記シールパッキンは、前記取付板の両端部に設けた固定金具を介して前記ＬＥＤカバーの長手方向の両端部に取り付けられる光源ユニット。
【請求項３】
前記シールパッキンは、点灯装置へ電力を供給するための電源線の通る電源線用穴が設けられている請求項１又は２に記載の光源ユニット。
【請求項４】
請求項１乃至３の何れか一項に記載の光源ユニットと、該光源ユニットが取り付けられる器具本体と、を有する照明器具。
【発明の詳細な説明】
【技術分野】
【０００１】
本発明は、光源ユニット及び照明器具に関する。
【背景技術】
【０００２】
特許文献１に記載のように、光源ユニットを取付具を介して器具本体にねじ止めする照明器具がある。
【先行技術文献】
【特許文献】
【０００３】
【特許文献１】特開２０１５−８８２４２号公報
【発明の概要】
【発明が解決しようとする課題】
【０００４】
特許文献１に記載された構成では、光源ユニットと取付具をねじ止めにより固定するため、光源ユニットのＬＥＤカバーに穴を開ける必要がある。その穴から油成分や水成分が進入しＬＥＤパッケージを腐食させてしまう恐れがある、という課題がある。
【０００５】
上記課題に鑑みて、油成分や水成分が進入しＬＥＤパッケージを腐食させる恐れを抑制し、信頼性向上を図ることができる光源ユニット及び照明器具を得ることを目的とする。
【課題を解決するための手段】
【０００６】
目的を達成するために、ＬＥＤパッケージを実装したＬＥＤモジュールと、該ＬＥＤモジュールが取り付けられる取付板と、前記ＬＥＤパッケージを点灯させる点灯装置と、略筒形状であり長手方向にレール部を有するＬＥＤカバーと、前記ＬＥＤカバーの長手方向の両端部に取り付けられるシールパッキンおよびキャップと、を有し、前記ＬＥＤカバーは、前記取付板と前記点灯装置の周囲を囲み、前記取付板は、前記レール部にスライドさせた状態で該レール部に係止される。
【発明の効果】
【０００７】
本発明によれば、油成分や水成分が進入しＬＥＤパッケージを腐食させる恐れを抑制し、信頼性向上を図ることができる光源ユニット及び照明器具を得ることができる。
【図面の簡単な説明】
【０００８】
【図１】本発明の第一実施形態における照明器具を斜め下方から見た斜視図。
【図２】図１のＡ−Ａ線断面図。
【図３】（ａ）図２の光源ユニット３の側面図、（ｂ）Ｂ-Ｂ断面図。
【図４】本発明の実施形態における光源ユニット３を斜め下方からみた分解斜視図。
【図５】光源ユニット３を天井面から見た図。
【発明を実施するための形態】
【０００９】
以下、本発明を実施するための形態の一例（以下「実施形態」という）について、適宜図面を参照しながら詳細に説明する。なお、各図において、共通する部分には同一の符号を付し重複した説明を省略する。
【実施例１】
【００１０】
まず、第一実施形態に係る照明器具の構成を、図１から図５を用いて説明する。図１は、本発明の第一実施形態における照明器具を斜め下方から見た斜視図である。図２は、図１のＡ−Ａ線断面図である。図３（ａ）（ｂ）は、図２の光源ユニット３及びＢ-Ｂ断面図である。図４は、本発明の実施形態における光源ユニット３を斜め下方からみた分解斜視図である。図５は光源ユニット３を天井面から見た図である。
【００１１】
ここで、照明器具１が、天井に取り付けられた際の天井側を上方向（天井方向）、床面側を下方向（床方向）とする。つまり照明器具１が、天井に取り付けられた場合、上方向から下方向へ器具本体３、発光体ユニット４の順になるよう取り付けられる。また、照明器具１の外形は長尺であり、これ以降、照明器具１が天井に取り付けられた状態を基準として、照明器具１の天井側の面を上面、照明器具１の床面側の面を下面、天井と直交し長尺な照明器具１の長手面を長手方向側面、上面・下面・長手方向側面以外の天井と直交し長尺な照明器具１の短手面を短手方向側面と呼ぶことにする。また、これ以降、天井に平行であり長手方向側面と平行となる方向を長手方向、天井に平行であり短手方向側面と平行となる方向を短手方向と呼ぶ。
【００１２】
図１に示すように、本実施形態の照明器具１は、天井の下面に固定される器具本体２と、器具本体２の下側に設けられた光源ユニット３からなっている。
【００１３】
図２および図３の断面図に示すように、光源ユニット３は例えば光源としてＬＥＤパッケージ６を基板上に実装したＬＥＤモジュール７及び点灯装置５を内在し、さらにＬＥＤモジュール７および点灯装置５は取付板８によって固定されて下方向に光を透過ないし拡散させて長手方向に開口しているＬＥＤカバー４のレール部１５にスライド挿入されている。
【００１４】
図４は光源ユニット３の短部の部品構造を表し、ＬＥＤカバー４の開口部を塞ぐように樹脂性のシールパッキン９があり、さらに光源ユニット３を器具本体２に取り付けるためのキャップ１０を用いてローレットネジ１３で固定する。シールパッキン９とキャップ１０を固定するために取付金具１１を用いて開口部側からＬＥＤカバー５の内部に向かってローレットねじ１４により固定される。
【００１５】
図５は光源ユニット３の天井面側からみた図で、ＬＥＤカバー４には穴を開けていないことを特徴とする。
【００１６】
ＬＥＤパッケージ６は例えばＣｕパターンが成型されたＣＥＭ３基板上に実装されてＬＥＤモジュール７となっている。このパターン上に点灯装置からある一定の電圧を加えることによって可視光の光を出力する。
【００１７】
ＬＥＤカバー４は例えばアクリル製樹脂を使用し短部が開口された略筒状形状である。ＬＥＤカバー４は押出し形状で作成される。筒形状とすることで筒内部に内在するＬＥＤモジュール７や点灯装置５への水分の浸入を防ぎ、油成分に耐性を持つアクリル製樹脂を使用することでＬＥＤカバー４内部への油成分の進入を防止することが出来る。また筒形状の内側にレール部１５の突起を設けているためＬＥＤモジュール７や点灯装置５を固定している取付板８をそのレール部１５にスライド挿入することによって取付板８の上下方向の動きを規制させている。
【００１８】
取付板８は例えば亜鉛めっき鋼板で出来ており、ＬＥＤモジュール７および点灯装置５を固定させている。短辺方向から見たとき短部が９０度程度折り曲げた形状となっているためにＬＥＤカバー４のレール部１５にスライド挿入させることができる。
【００１９】
シールパッキン９はシリコン製などの樹脂製からなり、ＬＥＤカバー４の短部を塞いでいるため、照明器具１周辺の環境から晒される水分や油成分からＬＥＤパッケージ６や点灯装置５を保護する役目がある。点灯装置５へ電力を供給するための電源線の通る、電線用穴も一つのシールパッキン内に形成された形状となっている。
【００２０】
固定金具１３はＳＧＣＣなどの金属製のＬ字形状であり、取付板８の両端部（ＬＥＤカバー４の長手方向の両端部）に固定されてシールパッキン９およびキャップ１０を取付金具１１を介してローレットねじ１４により固定させる役割を持っている。
【００２１】
なお取付板８と固定金具１３は一部品としてもよい。一部品とすることで部品点数の削減が図れる。
【００２２】
キャップ１０はポリエチレン等からなっており光源ユニット３と器具本体２をねじ１２により固定させる役目を持っている。
【００２３】
器具本体２は亜鉛めっき鋼板などで出来ており天井に光源ユニット３を固定する役割と光源ユニット３から出力する光の配光を制御する役目があり、逆富士型やトラフ型、笠付形や埋込型等からなる。
【００２４】
ＬＥＤカバー４の長手方向の開口部以外に穴が開いておらず取付板８両端部に取り付けられた固定金具を介してシールパッキン９およびキャップ１０を取り付けることを特徴とし、光源ユニット３内部の取付板８の固定については押出し成形によるレール部１５で固定することによりこれを保持することで、ＬＥＤカバー４に固定用の穴を開けずに済み、油性分や水分の浸入を防ぐ構造とすることができる。
【００２５】
本発明によれば、光源ユニット３の水分や油成分からＬＥＤモジュール７および点灯装置５を保護させることが出来る照明器具１を得ることができる。
【００２６】
ＬＥＤパッケージ６を実装したＬＥＤモジュール７を取り付ける取付板８と、ＬＥＤパッケージ６を点灯させる点灯装置５と、取付板８と点灯装置５の周囲を囲みレール部１５を有するＬＥＤカバー４と、を有し、レール部１５に取付板８をスライドさせることにより、取付板８を係止し上下方向への移動を規制し、光源ユニット３には穴を開けずに、光源ユニット３サイドから取付板８の両端部に設けた固定金具を介してシールパッキン９を取り付けることでＬＥＤカバー４に固定用の穴を開けずに済み、油性分や水分の浸入を防ぐ構造とすることができる。
【００２７】
シールパッキン９は、１つのシールパッキンを有し、点灯装置へ電力を供給するための電源線の通る電源線用穴を、前記１つのシールパッキン９に設けたことによって部品点数の削減が図れる。
【符号の説明】
【００２８】
1  照明器具
2  器具本体
3  光源ユニット
4  ＬＥＤカバー
5  点灯装置
6  ＬＥＤパッケージ
7  ＬＥＤモジュール
8  取付板
9  シールパッキン
10  キャップ
11  取付金具
12  ねじ
13  固定金具
14  ローレットねじ
15  レール部
【図１】
2018037178.tif 000003
【図２】
2018037178.tif 000004
【図３】
2018037178.tif 000005
【図４】
2018037178.tif 000006
【図５】
2018037178.tif 000007